(57)【特許請求の範囲】
【請求項１】
オーディオ信号の増幅利得を制御するオーディオ信号の利得制御装置において、
上記オーディオ信号を複数の周波数帯域に分割するフィルタ部と、
上記フィルタ部において各周波数帯域に分割されたオーディオ信号を、各周波数帯域ごとに、それぞれの周波数帯域の信号レベルに応じて利得を設定する利得設定部と、
各周波数帯域に分割される前のオーディオ信号の振幅の絶対値レベルに応じて上記それぞれの利得を補正するための利得補正係数を生成する補正係数生成部と、
上記それぞれの利得と上記利得補正係数とから演算して、上記分割されたオーディオ信号をそれぞれ利得制御する利得制御部と、
この利得制御部から出力された各周波数帯域のオーディオ信号を合成するオーディオ信号合成部と、
を備えたオーディオ信号の利得制御装置。
【請求項２】
補正係数生成部で生成される利得補正係数は、利得を下げる補正係数であることを特徴とする請求項１記載のオーディオ信号の利得制御装置。
【請求項３】
各周波数帯域に分割されたオーディオ信号の利得制御の特性は、低音域および高音域では中音域に比較して利得を大きくするような特性に設定されていることを特徴とする請求項１に記載のオーディオ信号の利得制御装置。
【請求項４】
補正係数生成部は各周波数帯域に分割される前のオーディオ信号の振幅の絶対値レベルがある閾値より小さいときに、各周波数帯域のオーディオ信号の利得を低くするよう補正するように設定されることを特徴とする請求項２に記載のオーディオ信号の利得制御装置。
【請求項５】
オーディオ信号の増幅利得を制御するオーディオ信号の利得制御方法において、
上記オーディオ信号を複数の周波数帯域に分割する第１の工程と、
第１の工程において各周波数帯域に分割されたオーディオ信号を各周波数帯域ごとに、それぞれの周波数帯域の信号レベルに応じて利得を設定する第３の工程と、
各周波数帯域に分割される前のオーディオ信号の振幅の絶対値レベルに応じて第３の工程で設定された利得を補正するための利得補正係数を生成する第２の工程と、
第３の工程で設定された利得と第２の工程で生成された利得補正係数とから演算して、上記分割されたオーディオ信号をそれぞれ利得制御する第４の工程と、
第４の工程で増幅された各周波数帯域のオーディオ信号を合成する第５の工程と
を含むオーディオ信号の利得制御方法。
【請求項６】
オーディオ信号の増幅利得を制御するオーディオ信号の利得制御方法において、
上記オーディオ信号から複数の周波数帯域でのオーディオ信号を抽出する第１の工程と、
第１の工程において抽出された各周波数帯域でのオーディオ信号の振幅レベルの絶対値を対数値に変換した信号レベルを演算する第２の工程と、
上記各周波数帯に抽出される前のオーディオ信号の振幅レベルに応じて上記各周波数帯に抽出される前のオーディオ信号の利得を設定する第３の工程と、
第２の工程で演算された各周波数帯域でのオーディオ信号の信号レベルから、第３の工程で設定された利得を補正する補正量を演算して、第３の工程で設定された利得を上記補正量により補正して上記各周波数帯に抽出される前のオーディオ信号の増幅利得を制御する第４の工程と、
を含むオーディオ信号の利得制御方法。
【請求項７】
各周波数帯域でのオーディオ信号の信号レベルから補正量を演算するときに、低音域または高音域の信号レベルが中音域の信号レベルに比較して高い場合、利得を大きくするような特性に演算することを特徴とする請求項６に記載のオーディオ信号の利得制御方法。
【請求項８】
各周波数帯に抽出される前のオーディオ信号の振幅レベルが所定の値より小さいときに、各周波数帯域のオーディオ信号の利得の制御量を補正するように設定されることを特徴とする請求項６または７に記載のオーディオ信号の利得制御方法。
【発明の詳細な説明】
【技術分野】
【０００１】
本発明は、テレビやラジオ、携帯電話、あるいはＤＶＤなど、メディアを通じてオーディオ信号を再生する機器における、オーディオ信号の利得を制御する自動利得制御（ＡＧＣ）装置に関するものである。
【背景技術】
【０００２】
従来のオーディオ信号を再生する機器において、低音域や高音域で人間の聴覚感度が低いのを補正するために、低音域や高音域を強調するように利得制御する方法が良く採用されている。（特許文献１、２など）
【特許文献１】特開２００６−３３９８６４
【特許文献２】特表２００７−５０５５５７
【発明の開示】
【発明が解決しようとする課題】
【０００３】
従来の利得制御装置では、入力オーディオ信号の振幅レベルのみを検出して利得制御を行うため、人間の心理聴覚特性上聞こえにくい低音域や高音域が相対的に小さくなる場合があり、一定の周波数成分がとくに多いようなオーディオ信号ではその臨場感が変わってしまうという問題があった。
【０００４】
例えば、人間の聴感特性上もっともよく聞こえる１ＫＨｚ〜４ＫＨｚのオーディオ信号に対して、１００Ｈｚ付近の低音域や５ＫＨｚ以上の高音域では、人間の心理聴感特性が異なるために一定の利得制御特性カーブに基づいて利得制御すると、オーディオ信号の周波数成分の偏りによってその聴感のバランスが変化してしまう。
【０００５】
本発明は、上記の問題を解決するためになされたもので、入力されるオーディオ信号の周波数分布や振幅レベルが大きく変化した場合でも一定の聴感レベルでのオーディオ信号出力を可能とし、人間の心理聴感特性に沿って利得制御することによりオーディオ信号の聴感を保ったまま再生可能なオーディオ信号の利得制御装置を提供することを目的とする。
【課題を解決するための手段】
【０００６】
オーディオ信号の増幅利得を制御するオーディオ信号の利得制御装置において、上記オーディオ信号を複数の周波数帯域に分割するフィルタ部と、上記フィルタ部において各周波数帯域に分割されたオーディオ信号を、各周波数帯域ごとに、それぞれの周波数帯域の信号レベルに応じて利得を設定する利得設定部と、各周波数帯域に分割される前のオーディオ信号の振幅の絶対値レベルに応じて上記それぞれの利得を補正するための利得補正係数を生成する補正係数生成部と、上記それぞれの利得と上記利得補正係数とから演算して、上記分割されたオーディオ信号をそれぞれ利得制御する利得制御部と、この利得制御部から出力された各周波数帯域のオーディオ信号を合成するオーディオ信号合成部と、を備えた。
【０００７】
また、オーディオ信号の増幅利得を制御するオーディオ信号の利得制御方法において、上記オーディオ信号を複数の周波数帯域に分割する第１の工程と、第１の工程において各周波数帯域に分割されたオーディオ信号を各周波数帯域ごとに、それぞれの周波数帯域の信号レベルに応じて利得を設定する第３の工程と、各周波数帯域に分割される前のオーディオ信号の振幅の絶対値レベルに応じて第３の工程で設定された利得を補正するための利得補正係数を生成する第２の工程と、第３の工程で設定された利得と第２の工程で生成された利得補正係数とから演算して、上記分割されたオーディオ信号をそれぞれ利得制御する第４の工程と、第４の工程で増幅された各周波数帯域のオーディオ信号を合成する第５の工程とを備えた。
【発明の効果】
【０００８】
本発明によれば、周波数帯域ごとのオーディオ信号レベルに基く利得制御と、周波数帯域に分割しないオーディオ信号そのものの信号レベルに基く利得制御を合成して利得制御を行うため、様々な周波数分布を有するオーディオ信号を低音域から高音域まで一定の聴感に保つことができる効果がある。
【発明を実施するための最良の形態】
【０００９】
実施の形態１．
図１は、この発明を実施するための実施の形態１におけるオーディオ信号の利得制御装置の構成である。１はデジタルオーディオ信号が入力される入力端子、２はデジタルオーディオ信号が出力される出力端子、３〜６は入力されたディジタルオーディオ信号のある周波数帯域の成分を抽出するフィルタ部、７〜１０はオーディオ信号の利得を調整する自動利得制御部、１１は入力されたディジタルオーディオ信号の振幅レベルを検出・演算して補正係数を出力するレベル補正部、１２は各周波数帯域のオーディオ信号を加算してひとつの信号に合成するオーディオ信号合成部である。
【００１０】
次に動作について説明する。入力端子１には標本化されたデジタルオーディオ信号が入力される。通常、オーディオ信号は、３２ＫＨｚ、４４．１ＫＨｚ、４８ＫＨｚなどの周波数で標本化される。入力されたデジタルオーディオ信号は、フィルタ３〜６に入力され、各周波数帯域の成分に分割される。
【００１１】
本発明における周波数帯域分割は人間の聴感特性の差異に沿って分割する。一般に人間の耳に聞こえるオーディオ信号は、その周波数成分によって感じる音圧レベルが異なっている。通常、人の耳にとって、１ＫＨｚ〜４ＫＨｚのオーディオ信号がもっとも聞こえやすく、それより低い音域の信号や高音域の信号は、数ｄＢ以上聞こえにくくなると言われている。これらの特性は等ラウドネス特性といわれているが、例えば、本発明の実施例において、４つの周波数帯域に分割する場合、５００Ｈｚ以下、５００Ｈｚ〜２ＫＨｚ、２ＫＨｚ〜４ＫＨｚ、４ＫＨｚ以上のような周波数帯域に分割している。
【００１２】
図２は等ラウドネス特性の一例を示した図である。等ラウンドネス特性は、周波数対音圧レベルの特性において１ＫＨｚの信号と同じレベルに聞こえる音圧のレベルを結んだ特性であり、一般に人間の心理聴覚特性では、前述したように、１ＫＨｚを基準として低音域・高音域が聞こえにくい特性となっている。本実施の形態１では、例えば、図２に示すような４つの周波数帯域（図２における、帯域１、帯域２、帯域３、帯域４）に分割し、各々のラウドネス特性の差異分に沿った利得制御を行う。
【００１３】
図１において、入力されたオーディオ信号は４つの周波数帯域に分割している場合を説明する。例えば、フィルタ３は５００Ｈｚ以下の信号を通過させる低域通過フィルタ、フィルタ４は５００Ｈｚ〜２ＫＨｚを通過させる帯域通過フィルタ、フィルタ５は２ＫＨｚ〜４ＫＨｚを通過させる帯域通過フィルタ、フィルタ６は４ＫＨｚ以上の信号を通過させる高域通過フィルタで構成される。これらのフィルタ群は、位相特性が線形な高次のＦＩＲ（有限インパルス応答）フィルタで構成されれば、合成後の周波数特性が良く理想的であるが、振幅特性が平坦でかつ位相特性が線形に近いＩＩＲ（無限インパルス応答）フィルタで構成することも可能である。
【００１４】
フィルタで帯域分割された各周波数成分のオーディオ信号は利得制御部であるＡＧＣ７〜ＡＧＣ１０に入力され、それぞれの周波数帯域ごとに利得の制御が行われる。利得の制御では、過大なレベルの信号が入力されたときは信号レベルを抑圧し、微小なレベルの信号が入力されたときは信号レベルを増幅し、オーディオ信号のダイナミックレンジを圧縮し、できる限り一定のレベルで聞こえるよう最適なレベルに調整する。
【００１５】
図３はこのようなＡＧＣ７〜１０の利得制御特性を示す図である。図３において、横軸は各周波数帯域での入力信号レベル、縦軸は出力信号レベルを示している。また、Ｔ１はＡＧＣ７で制御される周波数帯域１、すなわち５００Ｈｚ以下の低音域のオーディオ信号の利得制御特性を、Ｔ２はＡＧＣ８で制御される周波数帯域２、すなわち５００Ｈｚ〜２ＫＨｚの周波数帯域のオーディオ信号の利得制御特性を、Ｔ３はＡＧＣ９で制御される周波数帯域３、すなわち２ＫＨｚ〜４ＫＨｚの周波数帯域のオーディオ信号の利得制御特性を、Ｔ４はＡＧＣ１０で制御される周波数帯域４、すなわち４ＫＨｚ以上の高音域のオーディオ信号の利得制御特性を示している。また、Ａで示す一点鎖線は利得が１すなわち利得０ｄＢを示す線である。
【００１６】
例えば、周波数帯域２のオーディオ信号の制御特性の場合、その周波数帯域の入力オーディオ信号レベルがＳｆ１で利得０ｄＢ、すなわち出力が入力Ｓｆ１と等しいレベルＲｆ１となり、Ｓｆ１を越えると過大な信号として信号レベルを抑圧する方向、すなわち利得がマイナスのデシベルとなるように制御する。入力レベルがＳｆ１以下では逆にレベルの低い信号として増幅する方向で制御する。これらの利得の制御は通常、対数軸に変換して行う。入力レベルはｄＢに変換した後に、その信号レベルを判定し利得制御を行う。
【００１７】
一方、低音域である周波数帯域１や高音域である周波数帯域４のオーディオ信号においても、周波数帯域２と同じように、入力レベルが一定のレベルを越えると過大なレベルのオーディオ信号として信号レベルを抑圧するよう制御し、入力レベルがあるレベル以下では逆に信号レベルを増幅して出力する。周波数帯域２と異なるのは、出力のレベルが周波数帯域２のオーディオ信号より大きくなる点である。等ラウドネス特性において、これらの低音域、高音域の周波数帯域のオーディオ信号は、周波数帯域２に比べて聴感上小さく聞こえる成分である。従って、利得制御を行うときには、出力のオーディオレベルが周波数帯域２のオーディオ信号より大きくなるよう制御を行う。
【００１８】
また、周波数帯域３のオーディオ信号においても同じように、入力レベルが一定のレベルを越えると過大なレベルのオーディオ信号として信号レベルを抑圧するよう制御し、入力レベルがあるレベル以下では逆に信号レベルを増幅して出力する。周波数帯域２と異なるのは、逆に出力のレベルが周波数帯域２のオーディオ信号より小さくなる点である。等ラウドネス特性において、２ＫＨｚ〜４ＫＨｚの周波数帯域のオーディオ信号は、周波数帯域２に比べて聴感上大きく聞こえる成分となる。従って、利得制御を行うときには、出力のオーディオレベルを周波数帯域２のオーディオ信号より小さくなるように制御を行う。
【００１９】
ＡＧＣ７〜１０は、このように各周波数帯域のオーディオ信号レベルに応じて利得を設定する利得設定部を有する。この図３の利得制御特性を有するＡＧＣに、以下で説明するレベル補正部１１からの補正のための信号を入力することにより、各周波数帯域のＡＧＣ７〜１０が図３の利得制御特性を補正した利得制御を行うことになる。
【００２０】
図１において、入力端子１のオーディオ信号はレベル補正部１１に入力される。レベル補正部１１では、各周波数帯域の成分ではなく、各周波数帯域に分割される前の入力オーディオ信号本来の振幅レベルを検出して利得制御の際の補正のための信号を演算し出力する。入力オーディオ信号そのものが微小な信号であるときにはノイズ成分であると判断して、利得を抑圧する方向で制御する。
【００２１】
ＡＧＣ７〜１０で利得制御されたオーディオ信号はオーディオ信号合成部１２に入力され、各々の周波数帯域のオーディオ信号を加算することによりひとつのオーディオ信号を復元する。復元されたオーディオ信号は出力端子２から出力される。
【００２２】
図４は、図１におけるＡＧＣの詳細ブロック図である。
図４において、１３はフィルタで周波数帯域が制限された各周波数帯域のデジタルオーディオ信号が入力される入力端子、１４は利得制御特性を補正するための信号を入力する入力端子、１５は各周波数帯域のデジタルオーディオ信号を出力する出力端子、１６は絶対値を演算する絶対値演算部（ＡＢＳ）、１７は信号レベルの最大値を検出する最大値検出部、１８は平滑化のための低域通過フィルタ（ＬＰＦ）、１９は入力信号の信号レベルを決定するための係数を演算・生成する係数生成部、２０は係数の急激な変化を抑制するための時間フィルタ、２１は入力信号を遅延させる遅延部、２２は入力されるデジタルオーディオ信号に一定の係数を乗算する乗算器である。
【００２３】
次に動作について説明する。入力端子１３にはデジタルオーディオ信号が入力される。このデジタルオーディオ信号は周波数帯域が制限されたオーディオ信号である。入力端子１３に入力されたオーディオ信号は遅延部２１と絶対値演算部１６に入力される。遅延部２１は絶対値演算部１６等で信号処理した際に発生する遅延を補償するために設けている。遅延２１の出力は乗算器２２に出力される。絶対値演算部１６では入力信号の絶対値を求める。オーディオ信号は符号付のデジタルデータであり正負の成分を持つ。従って、絶対値演算部１６では、データの絶対値を計算する。最大値検出部１７は入力絶対値信号の最大値を検出して出力する。最大値検出部１７の出力は低域通過フィルタ１８に入力される。
【００２４】
低域通過フィルタ１８は、最大値検出部１７の出力を平滑化して急峻な変化を抑えるものである。低域通過フィルタ１８は、巡回型あるいは非巡回型のデジタルフィルタで構成される。低域通過フィルタ１８の出力は係数生成部１９に入力される。
【００２５】
係数生成部１９は、低域通過フィルタ１８の出力と入力端子１４の補正信号を合わせて演算することにより入力オーディオ信号の振幅レベルを制御するための係数を生成・出力する。一般的に、オーディオ信号の利得制御のための係数決定には、入力オーディオ信号の信号レベルを対数空間に変換し、対数空間上で特性を決定することにより求められる。係数の決定においては、低域通過フィルタ１８の出力から係数を演算して決定し、その係数に対して補正を適用する。
【００２６】
入力端子１４から入力される信号は、係数演算時に補正を行うための信号であり、図１におけるレベル補正部１１の出力から得られる。例えば、入力オーディオ信号の本来の信号レベルが極端に小さいような場合では、入力信号がノイズと考えられるので通常より信号レベルを抑制するような補正を適用する。
【００２７】
図５は、レベル補正部１１の詳細ブロック図である。
図５において、２３はオーディオ信号が入力される入力端子であり、図１における入力端子１に接続されている。２５は絶対値を演算する絶対値演算部（ＡＢＳ）、２６は信号レベルの最大値を検出する最大値検出部、２７は平滑化のための低域通過フィルタ（ＬＰＦ）、２８は利得制御の制御特性を補正するための係数を演算・出力する補正係数生成部、２４は補正係数生成部２８で生成された補正係数を出力する出力端子である。
【００２８】
次に動作について説明する。入力端子２３には各周波数帯域に分割される前のデジタルオーディオ信号が入力される。従って、このデジタルオーディオ信号は周波数帯域が制限されていない本来のオーディオ信号である。入力端子２３に入力されたオーディオ信号は絶対値演算部２５に入力される。絶対値演算部２５は入力信号の絶対値を求めるために設けられている。前述したようにオーディオ信号は符号付のデジタルデータであり正負の成分を持つ。従って、絶対値演算部２５では、符号付のデジタルデータの絶対値を計算する。最大値検出部２６は入力絶対値信号の最大値を検出して出力する。最大値検出部２６の出力は低域通過フィルタ２７に入力される。
【００２９】
低域通過フィルタ２７は、最大値検出部２６の出力を平滑化して急峻な変化を抑えるものである。低域通過フィルタ２７は、巡回型あるいは非巡回型のデジタルフィルタで構成される。低域通過フィルタ２７の出力は補正係数生成部２８に入力される。
【００３０】
補正係数生成部２８は低域通過フィルタ２７から出力されるオーディオ信号から演算することにより利得制御特性を補正するための係数を生成する。例えば、入力信号レベルが、ある閾値以下のとくに微小な信号レベルであるときは、抑圧レベルを大きくするために０．５等の追加の補正係数を出力する。これらの補正係数は利得制御の係数に乗算されて補正がなされる。
【００３１】
図６に、ＡＧＣ７〜１０のレベル補正部１１からの信号が入力されたときの利得制御特性の例を示す。図６の横軸は、各周波数帯域に分割される前の入力オーディオ信号本来の信号レベルである。各周波数帯域に分割される前の入力オーディオ信号本来の信号レベルがあるレベルＳ２以下の場合に図３で示したＡＧＣ７〜１０の利得設定部で設定される利得制御特性を補正して、結果として図６に示すようにＳ２以下で利得を下げるような利得制御特性となる。
【００３２】
レベル補正部１１の出力は、単に入力オーディオ信号本来のレベル信号、すなわち図５における低域通過フィルタ２７の出力そのものであっても良い。この場合、ＡＧＣ７〜１０がこのレベル補正部１１からのレベル信号を用いて、それぞれの利得制御特性を補正する補正係数生成部を有する構成となる。また、レベル補正部１１から補正のための補正係数が出力される場合でも、ＡＧＣ７〜１０がこの補正係数を用いてさらにそれぞれの補正係数を演算してそれぞれの利得制御特性を補正する構成としても良い。
【００３３】
実施の形態１においては、周波数帯域を４つに分割して制御する例を示したが、８個の周波数帯域や１６個の周波数帯域に分割するなど、より多くの周波数帯域に分割して処理すればより効果的である。
【００３４】
また、実施の形態１においては、全体のオーディオ信号レベルがある閾値より小さいときに、より出力レベルを下げるよう利得制御するように構成したが、逆にある閾値より大きいときにより抑圧する制御量を多くするなど他の応用も考えられる。
【００３５】
実施の形態２．
図７は、この発明を実施するための実施の形態２におけるオーディオ信号の利得制御装置を示すものである。
図７において、３７はデジタルオーディオ信号が入力される入力端子、３８はデジタルオーディオ信号が出力される出力端子、３９〜４２は入力端子３７から入力されたディジタルオーディオ信号から各周波数帯域成分を抽出するフィルタ部、４３〜４６は各周波数帯域のオーディオ信号の振幅レベルを検出・演算する信号レベル検出部、４７は信号レベル検出部４３〜４６で検出された各周波数帯域の信号レベルを基に演算して最終的な補正量を決定する補正量演算部、４８は入力端子３７から入力されたディジタルオーディオ信号の信号レベルを制御する利得制御部である。
【００３６】
次に動作について説明する。入力端子３７には標本化されたデジタルオーディオ信号が入力される。入力されたデジタルオーディオ信号は、フィルタ３９〜４２および利得制御部４８に入力される。フィルタ３９〜４２では、実施の形態１と同様に、オーディオ信号は、低音域から高音域まで複数の周波数帯域に分割される。
【００３７】
フィルタ３９〜４２においてオーディオ信号を複数の周波数帯域に分割する際には、実施の形態１と同様に、等ラウドネス特性を基準として人間の聴覚特性が異なる周波数帯域に分割する。例えば、４つの周波数帯域に分割する場合、５００Ｈｚ、２ＫＨｚ、４ＫＨｚのような周波数で分割する。これらのフィルタ郡は、実施の形態１のフィルタと同様に、位相特性が線形な高次のＦＩＲフィルタや、振幅特性が平坦でかつ位相特性が線形に近いＩＩＲフィルタで構成される。
【００３８】
フィルタ３９〜４２で複数の周波数帯域に分割されたオーディオ信号は、各々レベル検出部４３〜４６に入力され、それぞれの周波数帯域におけるオーディオ信号の信号レベルが計算される。信号レベルとは、オーディオ信号の振幅レベルの絶対値化を行ったあと、最大値をとり対数値に変換された値である。この信号レベルは、急激な変化が起こらないように時間的に平滑化される。計算された信号レベルはレベル補正を行うための基本的な検出量となる。レベル検出部４３〜４６で計算された各周波数帯域の信号レベルは補正量演算部４７に入力される。
【００３９】
補正量演算部４７においては、各周波数帯域の信号レベルから総合的に判断して最終的な補正量を決定する。この決定方法にはいくつかのアルゴリズムが考えられるが、もっとも主要な周波数成分がどの周波数帯域かを決定することとなる。
【００４０】
例えば、各周波数帯域の信号レベルの平均値や最大値、平均偏差などを計算し、それらから演算・決定される。一例としては、低音域の最大値レベルがもっとも大きく、平均値レベルが小さく平均偏差が大きいような場合では、そのオーディオ信号は低音域中心のオーディオ信号と判断することができる。このようなオーディオ信号の場合は補正を強く効かせ利得を上げる。
【００４１】
逆に、低音域の最大値レベルがもっとも大きいが、平均値レベルも大きく平均偏差が小さいような場合では、そのオーディオ信号は低音域中心のオーディオ信号と判断することができるが、全体的に周波数成分が分布していると思われるので、このようなオーディオ信号の場合はそれほど補正を強く効かせない。このように、オーディオ信号の周波数成分の分布の偏りに応じて補正量の大小が決定される。
【００４２】
全体の周波数成分が低音域を中心とするオーディオ信号では、中音域を中心とするオーディオ信号に比べて利得が大きくなるように、また、全体の周波数成分が高音域を中心とするオーディオ信号でも、中音域を中心とするオーディオ信号に比べて利得が大きくなるように利得を制御する。逆に、全体の周波数成分が中音域を中心とするオーディオ信号では、通常の利得制御を行う。従って、補正量演算部４７の出力としては、低音域や高音域の成分が多いオーディオ信号ほど出力される補正量は大きくなるよう制御されることになる。
【００４３】
利得制御部４８は、入力端子３７から入力されたオーディオ信号と補正量演算部４７から入力される補正量に基づいてオーディオ信号の利得を制御する。利得制御部４８の出力は出力端子３８から出力される。
【００４４】
なお、本実施の形態２においても実施の形態１と同じように、周波数帯域を４つに分割して制御する例を示したが、８個の周波数帯域や１６個の周波数帯域に分割するなど、より多くの周波数帯域に分割して処理すればより効果的である。
【図面の簡単な説明】
【００４５】
【図１】この発明の実施の形態１を示す利得制御装置のブロック図である。
【図２】オーディオ信号のラウドネス特性の説明図である。
【図３】この発明の実施の形態１による利得設定部の利得制御特性を示す図である。
【図４】この発明の実施の形態１の利得制御装置のＡＧＣ７〜１０の具体的構成を示すブロック図である。
【図５】この発明の実施の形態１の利得制御装置のレベル補正部１１の具体的構成を示すブロック図である。
【図６】この発明の実施の形態１による利得制御特性を示す図である。
【図７】この発明の実施の形態２を示す利得制御装置のブロック図である。
【符号の説明】
【００４６】
３〜６：フィルタ部、７〜１０：利得制御部、１２：オーディオ信号合成部
２８：補正係数生成部
【図１】
0004803193.tif 000002
【図２】
0004803193.tif 000003
【図３】
0004803193.tif 000004
【図４】
0004803193.tif 000005
【図５】
0004803193.tif 000006
【図６】
0004803193.tif 000007
【図７】
0004803193.tif 000008